(57)【要約】【課題】ベース部材の表側に従来のようなカバー部材との重着部分を生じさせずに、ベース部材の表面積が広くならないものとして、ベース部材にポケットを設けることができる工具ホルダーを提供する。【解決手段】ベース部材１の両側端１ａからカバー部材２を表側に突出して、その突出したカバー部材２の両側端２ａどうしを固着することにより、前記ベース部材１の表側にポケット３を設けたものとしている。【選択図】    図１
2010137307.tif 000002
【特許請求の範囲】
【請求項１】
ベース部材（１）の両側端（１ａ）からカバー部材（２）を表側に突出して、その突出したカバー部材（２）の両側端（２ａ）どうしを固着することにより、前記ベース部材（１）の表側にポケット（３）を設けたことを特徴とする工具ホルダー。
【請求項２】
ベース部材（１）の表側に複数枚のカバー部材（２）を固着し、これらカバー部材（２）の両側端（２ａ）どうしを固着することにより、前記ベース部材（１）の表側に複数のポケット（３）を設けたことを特徴とする工具ホルダー。
【請求項３】
ベース部材（１）に縦長の抜き出しスリット（６）を設け、一枚のカバー部材（２）の一側部を前記抜き出しスリット（６）から抜き出し、前記ベース部材（１）の表側に突出すると共に、前記カバー部材（２）の他側部を前記ベース部材（１）の一側端（１ａ）から表側に突出して、前記カバー部材（２）の両側端（２ａ）どうしを固着し、さらにもう一枚のカバー部材（２）の一側部を前記抜き出しスリット（６）から抜き出し、前記ベース部材（１）の表側に突出すると共に、前記カバー部材（２）の他側部を前記ベース部材（１）の他側端（１ａ）から表側に突出して、前記カバー部材（２）の両側端（２ａ）どうしを固着して、前記ベース部材（１）の表側に複数のポケット（３）を設けたことを特徴とする工具ホルダー。
【請求項４】
前記ベース部材（１）にベルト支持部（４）を設けたことを特徴とする請求項１〜３の何れかに記載の工具ホルダー。
【請求項５】
前記カバー部材（２）を、ベース部材（１）と別体とし、このベース部材（１）に当てて固着したことを特徴とする請求項１〜４の何れかに記載の工具ホルダー。
【請求項６】
前記カバー部材（２）を、ベース部材（１）の両側部を延長して、このベース部材（１）と一体としたことを特徴とする請求項１記載の工具ホルダー。
【請求項７】
前記ポケット（３）の内部に仕切り部材（Ｐ）を固着して、ポケット（３）を複数にしたことを特徴とする請求項１〜６何れかに記載の工具ホルダー。
【請求項８】
前記ポケット（３）の外部に、カバー部材（２）を湾曲させて両側端（２ａ）どうしを重ね合わせたものを固着して、前記ポケット（３）の外部に別の少なくとも一つのポケット（３）を設けたことを特徴とする請求項１〜７の何れかに記載の工具ホルダー。
【発明の詳細な説明】
【技術分野】
【０００１】
この発明は、電気工事現場、建築工事現場などで腰に吊り下げて使用するのに適した工具ホルダーに関するものである。
【背景技術】
【０００２】
従来、この種の工具ホルダーとしては、図３２に示したように、縦長とした収納ポケットを一列のみ設けたものや、図３３、３４に示したように、縦長とした収納ポケットを二列、または三列に並列させて設けたものが存在する。
【０００３】
図３２に示した工具ホルダーは、厚手の合成樹脂地や、天然皮革地または合成皮革地などからなるベース部材１１の表側に、同様の合成樹脂地や皮革地からなるカバー部材１２の両側端１２ａを縫着またはリベット止めして、上方と下方を開口したポケット１３を一列のみ設けたものとしている。（特許文献１）
【０００４】
図３３に示した工具ホルダーは、前記工具ホルダーと同様の合成樹脂地や皮革地からなるベース部材２１の表側に、同様の合成樹脂地や皮革地からなるカバー部材２２の両側端２２ａを縫着またはリベット止めすると共に、中間部の一個所を縦方向に縫着またはリベット止めして、上方と下方を開口した二列のポケット２３を並列させて設けたものとしている。（特許文献１）
【０００５】
図３４に示した工具ホルダーは、前記工具ホルダーと同様の合成樹脂地や皮革地からなるベース部材３１の表側に、同様の合成樹脂地や皮革地からなるカバー部材３２の両側端３２ａを縫着またはリベット止めすると共に、中間部の二個所を縦方向に縫着またはリベット止めして、上方と下方を開口した三列のポケット３３を並列させて設けたものとしている。（特許文献２）
【特許文献１】実用新案登録第３０９１６０１号公報（図１、図６）
【特許文献２】特開平１１−１０４９７８号公報（図１）
【発明の開示】
【発明が解決しようとする課題】
【０００６】
しかしながら、上記図３２〜３４に示した従来の工具ホルダーは、何れもポケット１３、２３、３３をベース部材１１、２１、３１にそれぞれ縫着またはリベット止めした部分が両者の重着部分Ｊとして、ベース部材１１、２１、３１のそれぞれの表側に現れており、これら重着部分Ｊの存在によってベース部材１１、２１、３１のそれぞれの表面積が広くなってしまい、作業者が腰に吊り下げる場合、左右方向に嵩張って、必要な他の工具を吊り下げるのに邪魔になる。
【０００７】
そこで、前記ベース部材１１、２１、３１の表側に重着部分Ｊを生じさせずに、ベース部材１１、２１、３１にポケット１３、２３、３３をそれぞれ効率良く設け、ベース部材１１、２１、３１の表面積が広くならない工具ホルダーの出現が望まれていた。
【０００８】
この発明は、上記従来の課題を解決するものであり、ベース部材の表側に従来のようなカバー部材との重着部分を生じさせずに、ベース部材の表面積が広くならないものとして、ベース部材にポケットを設けた工具ホルダーを提供することを目的としてなされたものである。
【課題を解決するための手段】
【０００９】
そこで、この発明の工具ホルダーは、ベース部材１の両側端１ａからカバー部材２を表側に突出して、その突出したカバー部材２の両側端２ａどうしを固着することにより、前記ベース部材１の表側にポケット３を設けたものとしている。
【００１０】
そして、この発明の工具ホルダーは、ベース部材１の表側に複数枚のカバー部材２を固着し、これらカバー部材２の両側端２ａどうしを固着することにより、前記ベース部材１の表側に複数のポケット３を設けたものとしている。
【００１１】
さらに、この発明の工具ホルダーは、ベース部材１に縦長の抜き出しスリット６を設け、一枚のカバー部材２の一側部を前記抜き出しスリット６から抜き出し、前記ベース部材１の表側に突出すると共に、前記カバー部材２の他側部を前記ベース部材１の一側端１ａから表側に突出して、前記カバー部材２の両側端２ａどうしを固着し、さらにもう一枚のカバー部材２の一側部を前記抜き出しスリット６から抜き出し、前記ベース部材１の表側に突出すると共に、前記カバー部材２の他側部を前記ベース部材１の他側端１ａから表側に突出して、前記カバー部材２の両側端２ａどうしを固着して、前記ベース部材１の表側に複数のポケット３を設けたものとしている。
【００１２】
また、この発明の工具ホルダーは、前記ベース部材１にベルト支持部４を設けたものとしている。
【００１３】
さらに、この発明の工具ホルダーは、前記カバー部材２を、ベース部材１と別体とし、このベース部材１に当てて固着したものとしている。
【００１４】
また、この発明の工具ホルダーは、前記カバー部材２を、ベース部材１の両側部を延長して、このベース部材１と一体としたものとしている。
【００１５】
さらに、この発明の工具ホルダーは、前記ポケット３の内部に仕切り部材Ｐを固着して、ポケット３を複数にしたものとしている。
【００１６】
また、この発明の工具ホルダーは、前記ポケット３の外部に、カバー部材２を湾曲させて両側端２ａどうしを重ね合わせたものを固着して、前記ポケット３の外部に別の少なくとも一つのポケット３を設けたものとしている。
【発明の効果】
【００１７】
この発明の工具ホルダーは、以上に述べたように構成されているので、ベース部材の表側に従来のようなカバー部材との重着部分を生じさせずに、ベース部材の表面積が広くならないものとして、ベース部材にポケットを設けたので、作業者の腰に吊り下げる場合にも幅が狭くなり、必要な他の工具を吊り下げるのに邪魔にならないものとなる。
【発明を実施するための最良の形態】
【００１８】
以下、この発明の工具ホルダーを実施するための最良の形態を、図面に基づいて詳細に説明する。
【００１９】
この発明の工具ホルダーは、第一実施形態としたものは図１〜６に示したように、一枚のベース部材１と一枚のカバー部材２から構成されており、ベース部材１の裏側にカバー部材２を当て、これらを縫着したり、リベット止めしたり、縫着したうえにリベット止めしたりして固着している。そして、前記カバー部材２の両側部をベース部材１の両側端１ａから表側に折り曲げることにより突出して、その突出したカバー部材２の両側端２ａどうしを固着することにより、前記ベース部材１の表側にポケット３を設けたものとしている。なお、前記カバー部材２は、図示していないが、ベース部材１の表側に当て、これらを縫着したり、リベット止めしたり、縫着したうえにリベット止めしたりして固着したものとしてもよい。
【００２０】
ベース部材１は、厚手の合成樹脂地や、天然皮革地または合成皮革地などからなり、上端部を折り曲げて、裏側にリベット止めすることにより、ベルト支持部４を設けている。このベルト支持部４は、前記ベース部材１の上端部を折り曲げることなく、前記ベース部材１の上端部に、厚手の合成樹脂地や、天然皮革地または合成皮革地などから作成した別部材のベルト支持部（図示せず）を連結したものとしてもよい。また、前記ベルト支持部４は、前記ベース部材１の上部に設けたベルト通し孔（図示せず）としてもよい。前記ベース部材１は、略中央部から上部へ向かうにつれ徐々に幅狭くなるように形成してもよく、このベース部材１を折り曲げて形成する前記ベルト支持部４も幅狭くなるようにし、使用者のベルトなどに吊り下げ易いものとしている。さらに、前記ベース部材１は、略中央部から下部へ向かうにつれ徐々に幅狭くなるように形成し、このベース部材１に設ける前記ポケット３も、上部から下部へ向かうにつれ徐々に容積が狭くなるように形成し、工具を差し込み易くしている。
【００２１】
カバー部材２は、前記ベース部材１と同様の合成樹脂地や皮革地からなり、前記したように突出したこのカバー部材２の両側端２ａどうしを縫着したり、リベット止めしたり、縫着したうえにリベット止めしたりして固着して、上方と下方を丸くして開口すると共に、上方を下方より大きく開口した一列のポケット３を、前記ベース部材１の表側に設けたものとしている。
【００２２】
また、前記カバー部材２は、図７、８に示したように、ベース部材１の両側部を延長して、このベース部材１と一体としたものすることができる。そして、このカバー部材２をベース部材１の表側に突出して、その突出したカバー部材２の両側端２ａどうしを固着することにより、前記ベース部材１の表側にポケット３を設けたものとしてもよい。このようにしたものでは、ベース部材１とカバー部材２とが重なり合うことがなく、これらの部材の生地の使用量が少なくてすむので、材料コストが安くつくという利点がある。
【００２３】
さらに、前記ポケット３の内部には、図９、１０に示したように、仕切り部材Ｐを固着したものとして、一列のポケット３を二段にしたものとすることができる。このような仕切り部材Ｐを前記ポケット３の内部に複数、固着すれば、前記ポケット３を二段を超える複数のものとすることもできる。なお、図示した態様では、前記ポケット３の内部に仕切り部材Ｐを、横方向に固着して複数段にしているが、縦方向に固着して複数列にしてもよい。
【００２４】
また、前記二段にしたポケット３の外部には、図１１、１２に示したように、カバー部材２を湾曲させて両側端２ａどうしを重ね合わせたものを、縫着したり、リベット止めしたり、縫着したうえにリベット止めしたりして固着して、前記ポケット３の両側外部にその側面から離れるようにして別の二つのポケット３を設けたものとすることもできる。このようにすれば、多くのポケット３を簡単に設けることができる。
【００２５】
さらに、前記二段にしたポケット３の外部には、図１３、１４に示したように、カバー部材２を湾曲させて両側端２ａどうしを重ね合わせたものを、縫着したり、リベット止めしたり、縫着したうえにリベット止めしたりして固着して、前記ポケット３の両側外部にその両側に沿うようにして別の二つのポケット３を設けたものとすることもできる。
【００２６】
この発明の工具ホルダーは、他の実施形態としたものは図１５〜２０に示したように、一枚のベース部材１と二枚のカバー部材２から構成されており、ベース部材１の略下半部の略中央部には一本の縦長の抜き出しスリット６を設けたものとしており、ベース部材１の裏側の略下半部に一枚のカバー部材２を当て、これらを縫着したり、リベット止めしたり、縫着したうえにリベット止めしたりして固着している。そして、前記カバー部材２の一側部を前記抜き出しスリット６から抜き出し、この抜き出した部分を前記ベース部材１の表側に突出すると共に、前記カバー部材２の他側部を前記ベース部材１の一側端１ａから表側に折り曲げることにより突出して、前記カバー部材２の両側端２ａどうしを縫着したり、リベット止めしたり、縫着したうえにリベット止めしたりして固着して、前記ベース部材１の表側に先ず一つのポケット３を設けたものとしている。さらに、前記ベース部材１の裏側の略下半部にもう一枚のカバー部材２を当て、これらを縫着したり、リベット止めしたり、縫着したうえにリベット止めしたりして固着している。そして、前記カバー部材２の一側部を前記抜き出しスリット６から抜き出し、この抜き出した部分を前記ベース部材１の表側に突出すると共に、前記カバー部材２の他側部を前記ベース部材１の他側端１ａから表側に折り曲げることにより突出して、前記カバー部材２の両側端２ａどうしを縫着したり、リベット止めしたり、縫着したうえにリベット止めしたりして固着して、前記ベース部材１の表側にもう一つのポケット３を設けたものとしている。
【００２７】
ベース部材１は、前記実施形態と同様に、厚手の合成樹脂地や、天然皮革地または合成皮革地などからなり、上端部を折り曲げて、裏側にリベット止めすることにより、ベルト支持部４を設けている。このベルト支持部４は、前記ベース部材１の上端部を折り曲げることなく、前記ベース部材１の上端部に、厚手の合成樹脂地や、天然皮革地または合成皮革地などから作成した別部材のベルト支持部（図示せず）を連結したものとしてもよい。また、前記ベルト支持部４は、前記ベース部材１の上部に設けたベルト通し孔（図示せず）としてもよい。前記ベース部材１は、略中央部から上部へ向かうにつれ徐々に幅狭くなるように形成してもよく、このベース部材１を折り曲げて形成する前記ベルト支持部４も幅狭くなるようにし、使用者のベルトなどに吊り下げ易いものとしている。さらに、前記ベース部材１は、略中央部から下部へ向かうにつれ徐々に幅狭くなるように形成し、このベース部材１に設ける前記ポケット３も、上部から下部へ向かうにつれ徐々に容積が狭くなるように形成し、工具を差し込み易くしている。また、前記ベース部材１に設けた一本の抜き出しスリット６は、カバー部材２を二枚重ねにした厚さと略等しいスリット幅としており、二枚のカバー部材２との間に隙間が生じないようにしている。
【００２８】
カバー部材２は、前記ベース部材１と同様の合成樹脂地や皮革地からなり、前記したように突出した二枚のカバー部材２の側部を途中で略直角に折り曲げ、何れのカバー部材２も両側端２ａどうしを縫着したり、リベット止めしたり、縫着したうえにリベット止めしたりして固着して、上方と下方を四角くして開口すると共に、上方を下方より大きく開口した二列のポケット３を、前記ベース部材１の表側に設けたものとしている。また、二列のポケット３は、これらのポケット３どうしが離れないように、それぞれの側部どうしを縫着したり、リベット止めしたり、縫着したうえにリベット止めしたりして固着している。
【００２９】
また、前記カバー部材２は、図２１、２２に示したように、ベース部材１の両側部を延長して、このベース部材１と一体としたものとし、このカバー部材２をベース部材１の表側に突出したものとすることができる。そして、ポケット３のそれぞれの内部には、仕切り部材Ｐを固着したものとして、二列のポケット３をそれぞれ二段にしたものとすることができる。このような仕切り部材Ｐを前記ポケット３の内部に複数、固着すれば、前記ポケット３を二段を超えるものとすることもできる。なお、二列のポケット３は、仕切り部材Ｐを固着し易くするため、それぞれの側部どうしを固着せず、これらのポケット３どうしが離れるようにしている。
【００３０】
この発明の工具ホルダーは、さらに他の実施形態としたものとしては図２３〜２９に示したように、一枚のベース部材１と三枚のカバー部材２から構成されており、ベース部材１には略下半部に適当な間隔をおいて二本の縦長の抜き出しスリット６を設け、ベース部材１の裏側の略下半部に一枚のカバー部材２を当て、これらを縫着したり、リベット止めしたり、縫着したうえにリベット止めしたりして固着している。そして、前記カバー部材２の一側部を前記一本の抜き出しスリット６から抜き出し、この抜き出した部分を前記ベース部材１の表側に突出すると共に、前記カバー部材２の他側部を前記ベース部材１の一側端１ａから表側に折り曲げることにより突出して、前記カバー部材２の両側端２ａどうしを縫着したり、リベット止めしたり、縫着したうえにリベット止めしたりして固着して、前記ベース部材１の表側に先ず一つのポケット３を設けたものとしている。さらに、前記ベース部材１の裏側の略下半部にもう一枚のカバー部材２を当て、これらを縫着したり、リベット止めしたり、縫着したうえにリベット止めしたりして固着している。そして、前記カバー部材２の一側部を前記もう一本の抜き出しスリット６から抜き出し、この抜き出した部分を前記ベース部材１の表側に突出すると共に、前記カバー部材２の他側部を前記ベース部材１の他側端１ａから表側に折り曲げることにより突出して、前記カバー部材２の両側端２ａどうしを縫着したり、リベット止めしたり、縫着したうえにリベット止めしたりして固着して、前記ベース部材１の表側にもう一つのポケット３を設けたものとしている。さらに、この実施形態では、前記二つのポケット３の間において、前記ベース部材１の表側にさらにもう一枚のカバー部材２を当て、このカバー部材２を前記ベース部材１に縫着したり、リベット止めしたり、縫着したうえにリベット止めしたりして固着している。そして、前記カバー部材２の両側部をベース部材１の表側に湾曲させることにより突出し、その突出したカバー部材２の両側端２ａどうしを縫着したり、リベット止めしたり、縫着したうえにリベット止めしたりして固着して、前記ベース部材１の表側にさらにもう一つのポケット３を設けたものとしている。
【００３１】
また、前記抜き出しスリット６を設けていないものとした場合には、図３０、３１に示したように、ベース部材１の表側の左右および中央に三枚のカバー部材２を縫着したり、リベット止めしたり、縫着したうえにリベット止めしたりして固着し、これらカバー部材２のそれぞれの両側端２ａどうしを縫着したり、リベット止めしたり、縫着したうえにリベット止めしたりして固着することにより、前記ベース部材１の表側に三列のポケット３を設けたものとすることができる。なお、前記ベース部材１の表側に二枚または三枚を超えるカバー部材２を固着し、これらカバー部材２のそれぞれの両側端２ａどうしを、前面押え部材５をそれぞれに介在させて固着すれば、前記ベース部材１の表側に二列または三列を超える複数のポケット３を設けたものとすることができるのはいうまでもない。
【００３２】
ベース部材１は、前記実施形態と同様に、厚手の合成樹脂地や、天然皮革地または合成皮革地などからなり、上端部を折り曲げて、裏側にリベット止めすることにより、ベルト支持部４を設けている。このベルト支持部４は、前記ベース部材１の上端部を折り曲げることなく、前記ベース部材１の上端部に、厚手の合成樹脂地や、天然皮革地または合成皮革地などから作成した別部材のベルト支持部（図示せず）を連結したものとしてもよい。また、前記ベルト支持部４は、前記ベース部材１の上部に設けたベルト通し孔（図示せず）としてもよい。前記ベース部材１は、略中央部から上部へ向かうにつれ徐々に幅狭くなるように形成してもよく、このベース部材１を折り曲げて形成する前記ベルト支持部４も幅狭くなるようにし、使用者のベルトなどに吊り下げ易いものとしている。さらに、前記ベース部材１は、略中央部から下部へ向かうにつれ徐々に幅狭くなるように形成し、このベース部材１に設ける前記ポケット３も、上部から下部へ向かうにつれ徐々に容積が狭くなるように形成し、工具を差し込み易くしている。また、前記ベース部材１に設けた二本の抜き出しスリット６は、それぞれカバー部材２の厚さと略等しいスリット幅としており、カバー部材２との間に隙間が生じないようにしている。
【００３３】
カバー部材２は、前記ベース部材１と同様の合成樹脂地や皮革地からなり、前記したように突出した左右二枚のカバー部材２の側部を途中で略直角に折り曲げ、何れのカバー部材２も両側端２ａどうしを縫着したり、リベット止めしたり、縫着したうえにリベット止めしたりして固着して、上方と下方を四角くして開口すると共に、上方を下方より大きく開口した二列のポケット３を、前記ベース部材１の表側に設けたものとしている。さらに、カバー部材２は、前記左右二枚のカバー部材２の間において前記ベース部材１にリベット止めしたりして固着したもう一つのカバー部材２の側部を湾曲させたものとし、このカバー部材２も両側端２ａどうしを縫着したり、リベット止めしたり、縫着したうえにリベット止めしたりして固着して、上方と下方を丸くして開口すると共に、上方を下方より大きく開口したポケット３を、前記したように二列のポケット３の間に位置するようにして、合計三列のポケット３を、前記ベース部材１の表側に設けたものとしている。また、三列のポケット３は、これらのポケット３どうしが離れないように、それぞれの側部どうしを縫着したり、リベット止めしたり、縫着したうえにリベット止めしたりして固着している。
【００３４】
以上のように構成されたこの発明の工具入れは、何れもベース部材１の表側に従来のようなカバー部材２との重着部分を生じさせずに、ベース部材１の表面積が広くならないものとして、ベース部材１に一個または複数個のポケット３を設けたものとなった。
【図面の簡単な説明】
【００３５】
【図１】この発明の工具入れの第一実施形態を示す斜視図である。
【図２】図１に示すこの発明の工具入れのベース部材の斜視図である。
【図３】図１に示すこの発明の工具入れの背面図である。
【図４】図１に示すこの発明の工具入れの平面図である。
【図５】この発明の工具入れの図３中のＡ−Ａ線による断面図である。
【図６】この発明の工具入れの図３中のＢ−Ｂ線による断面図である。
【図７】この発明の工具入れの第二実施形態を示す斜視図である。
【図８】図７に示すこの発明の工具入れの平面図である。
【図９】この発明の工具入れの第三実施形態を示す斜視図である。
【図１０】図９に示すこの発明の工具入れの平面図である。
【図１１】この発明の工具入れの第四実施形態を示す斜視図である。
【図１２】図１１に示すこの発明の工具入れの平面図である。
【図１３】この発明の工具入れの第五実施形態を示す斜視図である。
【図１４】図１３に示すこの発明の工具入れの平面図である。
【図１５】この発明の工具入れの第六実施形態を示す斜視図である。
【図１６】図１５に示すこの発明の工具入れのベース部材の斜視図である。
【図１７】図１５に示すこの発明の工具入れの背面図である。
【図１８】図１５に示すこの発明の工具入れの平面図である。
【図１９】この発明の工具入れの図１７中のＣ−Ｃ線による断面図である。
【図２０】この発明の工具入れの図１７中のＤ−Ｄ線による断面図である。
【図２１】この発明の工具入れの第七実施形態を示す斜視図である。
【図２２】図２１に示すこの発明の工具入れの平面図である。
【図２３】この発明の工具入れの第八実施形態を示す斜視図である。
【図２４】図２３に示すこの発明の工具入れのベース部材の斜視図である。
【図２５】図２３に示すこの発明の工具入れの背面図である。
【図２６】図２３に示すこの発明の工具入れの平面図である。
【図２７】この発明の工具入れの図２５中のＥ−Ｅ線による断面図である。
【図２８】この発明の工具入れの図２５中のＦ−Ｆ線による断面図である。
【図２９】この発明の工具入れの図２５中のＧ−Ｇ線による断面図である。
【図３０】この発明の工具入れの第九実施形態を示す斜視図である。
【図３１】図２９に示すこの発明の工具入れの平面図である。
【図３２】従来の工具入れの一例を示す斜視図である。
【図３３】従来の工具入れの他の例を示す斜視図である。
【図３４】従来の工具入れのさらに他の例を示す斜視図である。
【符号の説明】
【００３６】
１  ベース部材
１ａ  側端
２  カバー部材
２ａ  側端
３  ポケット
４  ベルト支持部
６  抜き出しスリット
Ｐ  仕切り部材
【図１】
2010137307.tif 000003
【図２】
2010137307.tif 000004
【図３】
2010137307.tif 000005
【図４】
2010137307.tif 000006
【図５】
2010137307.tif 000007
【図６】
2010137307.tif 000008
【図７】
2010137307.tif 000009
【図８】
2010137307.tif 000010
【図９】
2010137307.tif 000011
【図１０】
2010137307.tif 000012
【図１１】
2010137307.tif 000013
【図１２】
2010137307.tif 000014
【図１３】
2010137307.tif 000015
【図１４】
2010137307.tif 000016
【図１５】
2010137307.tif 000017
【図１６】
2010137307.tif 000018
【図１７】
2010137307.tif 000019
【図１８】
2010137307.tif 000020
【図１９】
2010137307.tif 000021
【図２０】
2010137307.tif 000022
【図２１】
2010137307.tif 000023
【図２２】
2010137307.tif 000024
【図２３】
2010137307.tif 000025
【図２４】
2010137307.tif 000026
【図２５】
2010137307.tif 000027
【図２６】
2010137307.tif 000028
【図２７】
2010137307.tif 000029
【図２８】
2010137307.tif 000030
【図２９】
2010137307.tif 000031
【図３０】
2010137307.tif 000032
【図３１】
2010137307.tif 000033
【図３２】
2010137307.tif 000034
【図３３】
2010137307.tif 000035
【図３４】
2010137307.tif 000036